(57)【要約】【課題】  消灯放電セルでは放電が起こらないプラズマディスプレイパネルの駆動方法およびプラズマディスプレイ装置を提供し，ブラックの階調で画面が曇ってしまう現象を防止することができ，１フィールドでリセット期間の占める時間を低減することを可能にする。【解決手段】  プラズマディスプレイパネルを駆動する方法において，第１グループのサブフィールド１ＳＦにおいて，選択する走査電極Ｙに対して，他の走査電極Ｙに印加される電圧Ｖｓ＿ｈＹより高い電圧Ｖｈｓｃ＿ｈを印加し，選択される走査電極Ｙに対応する複数の放電セルのうち，点灯放電セルのアドレス電極Ａに対して，他のアドレス電極Ａに印加される電圧Ｖａ＿ｈより低い電圧Ｖａ＿ｌを印加することにより，前記点灯放電セルを選択する段階Ｐａ１と，前記サブフィールドで前記選択した放電セルを維持放電させる段階Ｐｓ１とを設けた。【選択図】    図５
2005266743.tif 000002
【特許請求の範囲】
【請求項１】
一方向に伸びている複数の第１電極と，および前記第１電極と交差する方向に伸びている複数の第２電極とを含み，前記第１電極と前記第２電極とが交差する領域に放電セルがそれぞれ形成されるプラズマディスプレイパネルを駆動する方法において：
第１グループのサブフィールドにおいて，複数の前記第１電極を選択する順序通りに，選択される前記第１電極に対して，他の前記第１電極に印加される第１電圧より高い第２電圧を印加して，選択された前記第１電極に対応する複数の放電セルのうち，点灯放電セルの前記第２電極に対して，他の前記第２電極に印加される第３電圧より低い第４電圧を印加することにより，前記点灯放電セルを選択する段階と；
前記サブフィールドで前記選択された放電セルを維持放電させる段階と；
を含むことを特徴とするプラズマディスプレイパネルの駆動方法。
【請求項２】
前記第１電極と前記第２電極との間で，前記第１電極から前記第２電極へ電界が設定されて放電が起こることを特徴とする請求項１に記載のプラズマディスプレイパネルの駆動方法。
【請求項３】
１フィールドは，前記第１グループのサブフィールドと第２グループのサブフィールドとを含み，前記第１および前記第２グループは前記点灯放電セルの選択時に印加される電圧によって決定され：
前記第２グループのサブフィールドにおいて，複数の前記第１電極を選択する順序通りに，選択される前記第１電極に対して，他の前記第１電極に印加される第５電圧より低い第６電圧を印加し，選択された前記第１電極に対応する複数の放電セルのうち，前記点灯放電セルの前記第２電極に対して，他の前記第２電極に印加される第７電圧より高い第８電圧を印加することにより，前記点灯放電セルを選択する段階と；
前記サブフィールドで前記選択した放電セルを維持放電させる段階と；
をさらに含むことを特徴とする請求項１または２のいずれか１項に記載のプラズマディスプレイパネルの駆動方法。
【請求項４】
前記プラズマディスプレイパネルは，前記第１電極と実質的に同一の方向に伸びており，それぞれ前記第１電極および前記第２電極と共に前記放電セルを形成する複数の第３電極をさらに含み，
前記第１グループのサブフィールドにおける前記維持放電のうち最初の維持放電は，前記第１電極に第９電圧を印加し，前記第３電極に前記第９電圧より高い第１０電圧を印加して形成されることを特徴とする請求項１，または２または３のいずれか１項に記載のプラズマディスプレイパネルの駆動方法。
【請求項５】
前記第２グループのサブフィールドにおける前記維持放電のうち最初の維持放電は，前記第１電極に第１１電圧を印加し，前記第３電極に前記第１１電圧より低い第１２電圧を印加して形成されることを特徴とする請求項３または４のいずれか１項に記載のプラズマディスプレイパネルの駆動方法。
【請求項６】
前記第１グループのサブフィールドにおいて前記放電セルを選択する前に，直前のサブフィールドにおける維持放電によって形成された壁電荷を消去する段階をさらに含むことを特徴とする請求項１，２，３，４または５のいずれか１項に記載のプラズマディスプレイパネルの駆動方法。
【請求項７】
前記第１グループの第１サブフィールドにおいて，前記放電セルを選択する前に，前記第１電極の電圧を第１３電圧から第１４電圧まで徐々に降下させる段階をさらに含むことを特徴とする請求項１，２，３，４，５または６のいずれか１項に記載のプラズマディスプレイパネルの駆動方法。
【請求項８】
前記プラズマディスプレイパネルは，前記第１電極と実質的に同一の方向に伸びており，それぞれ前記第１電極および前記第２電極と共に前記放電セルを形成する複数の第３電極をさらに含み，
前記第２電圧から前記第４電圧を差し引いた電圧が第１５電圧であり，前記第１４電圧より，前記第１４電圧が前記第１電極に印加されるときに前記第２電極に印加される電圧を差し引いた電圧が第１６電圧である場合，前記第１５電圧と前記第１６電圧の差が，前記維持放電のために前記第１電極と前記第３電極に印加される電圧の差の実質的に２倍以上であることを特徴とする請求項７に記載のプラズマディスプレイパネルの駆動方法。
【請求項９】
前記第２電圧から前記第４電圧を差し引いた電圧が第１５電圧であり，前記第１４電圧より，前記第１４電圧が前記第１電極に印加されるときに前記第２電極に印加される電圧を差し引いた電圧が第１６電圧である場合，前記第１５電圧と前記第１６電圧の差が実質的に前記第１電極と前記第２電極間の放電開始電圧の２倍以上であることを特徴とする請求項７に記載のプラズマディスプレイパネルの駆動方法。
【請求項１０】
前記第２グループのサブフィールドにおいて，前記放電セルを選択する前に，直前のサブフィールドで維持放電が起こった放電セルを初期化する段階をさらに含むことを特徴とする請求項３，４，５，６，７，８または９のいずれか１項に記載のプラズマディスプレイパネルの駆動方法。
【請求項１１】
前記第２グループのサブフィールドにおいて，前記放電セルを選択する前に，前記第１電極の電圧を第１３電圧から第１４電圧まで徐々に降下させる段階をさらに含むことを特徴とする請求項３，４，５，６，７，８，９または１０のいずれか１項に記載のプラズマディスプレイパネルの駆動方法。
【請求項１２】
前記第２電圧と前記第１電圧の差が，前記第５電圧と前記第６電圧の差と同一，又はそれより大きいことを特徴とする請求項３，４，５，６，７，８，９，１０または１１のいずれか１項に記載のプラズマディスプレイパネルの駆動方法。
【請求項１３】
前記第８電圧は，前記第３電圧と同レベルの電圧であり，前記第７電圧は，前記第４電圧と同レベルの電圧であることを特徴とする請求項３，４，５，６，７，８，９，１０，１１または１２のいずれか１項に記載のプラズマディスプレイパネルの駆動方法。
【請求項１４】
前記第１電圧は，前記第１グループのサブフィールドで前記第１電極に印加される最高電圧であることを特徴とする請求項１，２，３，４，５，６，７，８，９，１０，１１，１２または１３のいずれか１項に記載のプラズマディスプレイパネルの駆動方法。
【請求項１５】
１フィールドの最初のサブフィールドは，前記第１グループのサブフィールドであることを特徴とする請求項１，２，３，４，５，６，７，８，９，１０，１１，１２，１３または１４のいずれか１項に記載のプラズマディスプレイパネルの駆動方法。
【請求項１６】
１フィールドのうち前記第１グループのサブフィールドは，加重値の低いサブフィールドであることを特徴とする請求項１，２，３，４，５，６，７，８，９，１０，１１，１２，１３，１４または１５のいずれか１項に記載のプラズマディスプレイパネルの駆動方法。
【請求項１７】
前記放電セルが１フィールドで少なくとも１回点灯する場合，前記放電セルは，前記第１グループのサブフィールドでは必ず点灯することを特徴とする請求項１，２，３，４，５，６，７，８，９，１０，１１，１２，１３，１４，１５または１６のいずれか１項に記載のプラズマディスプレイパネルの駆動方法。
【請求項１８】
１フィールドの階調が０の場合，１フィールドの少なくとも一つのサブフィールドは，前記第１グループのサブフィールドであることを特徴とする請求項１，２，３，４，５，６，７，８，９，１０，１１，１２，１３，１４，１５，または１６のいずれか１項に記載のプラズマディスプレイパネルの駆動方法。
【請求項１９】
一方向に伸びている複数の第１電極と，前記第１電極と交差する方向に伸びている複数の第２電極と，を含み，前記第１電極と前記第２電極とが交差する領域に放電セルがそれぞれ形成されるプラズマディスプレイパネルと；
複数の前記第１電極を選択する順序通りに，選択された前記第１電極に選択電圧を印加する第１駆動部と；
複数の前記第２電極に駆動電圧を印加し，前記選択電圧が印加された前記第１電極と共に点灯する放電セルを選択する第２駆動部と；を含み，
第１グループのサブフィールドにおける前記選択電圧が，前記サブフィールド期間に前記第１電極に印加される電圧の中では実質的に最高電圧であることを特徴とするプラズマディスプレイ装置。
【請求項２０】
前記サブフィールドにおける前記選択電圧である第２電圧が，前記第１電極に印加される間，他の第１電極には前記第２電圧より低い第１電圧が印加されることを特徴とする請求項１９に記載のプラズマディスプレイ装置。
【請求項２１】
前記第２駆動部は，複数の前記第２電極のうち点灯放電セルに対応する前記第２電極に対して，他の前記第２電極に印加される第３電圧より低い第４電圧を印加し，
前記第１電極から前記第２電極へ電界が形成されて放電が起こり，前記放電セルが選択されることを特徴とする請求項２０に記載のプラズマディスプレイ装置。
【請求項２２】
１フィールドは，前記第１グループのサブフィールドと第２グループのサブフィールドを含み，前記第１および前記第２グループは，前記点灯放電セルの選択時に印加される電圧によって決定され，
前記第２グループのサブフィールドにおいて，前記選択電圧である第６電圧が前記第１電極に印加される間，他の第１電極には前記第６電圧より高い第５電圧が印加されることを特徴とする請求項１９，２０または２１のいずれか１項に記載のプラズマディスプレイ装置。
【請求項２３】
前記第２駆動部は，前記第２グループのサブフィールドで，複数の前記第２電極のうち点灯放電セルに対応する第２電極に対して，他の前記第２電極に印加される第７電圧より高い第８電圧を印加して前記放電セルを選択することを特徴とする請求項２２に記載のプラズマディスプレイ装置。
【請求項２４】
前記プラズマディスプレイパネルは，前記第１電極と実質的に同一の方向に伸びており，それぞれ前記第１電極および前記第２電極と共に前記放電セルを形成する複数の第３電極をさらに含み，
前記選択された放電セルの前記第１電極と前記第３電極に，維持放電のための電圧を印加して，前記選択された放電セルを維持放電させることを特徴とする請求項１９，２０，２１，２２または２３のいずれか１項に記載のプラズマディスプレイ装置。
【請求項２５】
一方向に伸びている複数の第１電極と，複数の第３電極と，前記第１電極と交差する方向に伸びている複数の第２電極と，を含み，前記第１電極，前記第２電極および前記第３電極によって放電セルがそれぞれ形成されるプラズマディスプレイパネルと；
前記第１電極に第９電圧と第１１電圧を交互に印加する第１駆動部と；
前記第１電極に前記第９電圧が印加される間，前記第３電極に前記第９電圧より高い第１０電圧を印加し，前記第１電極に前記第１１電圧が印加される間，前記第３電極に前記第１１電圧より低い第１２電圧を印加することにより，前記放電セルのうち選択された放電セルを維持放電させる第３駆動部と；を含み，
１フィールドのうち，第１グループのサブフィールドでは，前記第９電圧と前記第１０電圧によって最初の維持放電が起こり，第２グループのサブフィールドでは，前記第１１電圧と前記第１２電圧によって最初の維持放電が起こることを特徴とするプラズマディスプレイ装置。
【請求項２６】
前記第１駆動部は，複数の前記第１電極のうち，選択しようとする前記第１電極に選択電圧を印加し，
前記プラズマディスプレイ装置は，前記選択電圧が前記第１電極に印加される間，複数の前記第２電極のうち点灯放電セルに対応する前記第２電極にアドレス電圧を印加して前記放電セルを選択する第２駆動部をさらに含むことを特徴とする請求項２５に記載のプラズマディスプレイ装置。
【請求項２７】
前記第１グループのサブフィールドでは，前記選択電圧が前記アドレス電圧より高く，前記第２グループのサブフィールドでは，前記選択電圧が前記アドレス電圧より低いことを特徴とする請求項２６に記載のプラズマディスプレイ装置。
【請求項２８】
前記第３駆動部は，前記第１グループのサブフィールドで前記選択電圧が前記第１電極に印加される間，前記第３電極に前記選択電圧より低い電圧を印加し，前記第２グループのサブフィールドで前記選択電圧が前記第１電極に印加される間，前記第３電極に前記選択電圧より高い電圧を印加することを特徴とする請求項２６または２７のいずれか１項に記載のプラズマディスプレイ装置。
【請求項２９】
前記第１グループのサブフィールドでは，前記選択電圧が，前記サブフィールドで前記第１電極に印加される電圧の中の最高電圧であることを特徴とする請求項２６，２７または２８のいずれか１項に記載のプラズマディスプレイ装置。
【請求項３０】
前記第１駆動部は，直前のサブフィールドで維持放電が終わった後，前記第１電極の電圧を第１４電圧まで徐々に降下させ，
前記第１グループのサブフィールドで前記選択電圧と前記第１４電圧の差は，実質的に前記第９電圧と前記第１０電圧の差の２倍以上であることを特徴とする請求項２６，２７，２８または２９のいずれか１項に記載のプラズマディスプレイ装置。
【請求項３１】
前記第１駆動部は，直前のサブフィールドで維持放電が終わった後，前記第１電極の電圧を第１４電圧まで徐々に降下させ，
前記第１グループのサブフィールドで，前記選択電圧と前記第１４電圧の差が実質的に前記第１電極と前記第２電極間の放電開始電圧の２倍以上であることを特徴とする請求項２６，２７，２８，２９のいずれか１項に記載のプラズマディスプレイ装置。
【請求項３２】
複数の放電セルが形成されており，前記放電セルは少なくとも２つの電極によって形成されるプラズマディスプレイパネルと，
１フィールドを，それぞれ加重値を有する複数のサブフィールドに分割し，各サブフィールドで前記電極に電圧を印加することにより，前記放電セルを放電させて階調の表示を行う駆動部と，を含み，
直前のフィールドで生成された壁電荷が消去された状態で，少なくとも一つのフィールドの間，点灯放電セルのみで放電が起こることを特徴とするプラズマディスプレイ装置。
【請求項３３】
一つのサブフィールドは，前記放電セルを初期化放電させる第１期間，前記放電セルのうち点灯放電セルを選択する第２期間，前記選択された放電を維持放電させる第３期間からなり，
前記駆動部は，少なくとも一つのサブフィールドで前記第１期間と前記第２期間を同時に行うことを特徴とする請求項３２に記載のプラズマディスプレイ装置。
【請求項３４】
前記第１期間と前記第２期間が同時に行われる場合，前記点灯放電セルのみ初期化されることを特徴とする請求項３３に記載のプラズマディスプレイ装置。
【請求項３５】
前記駆動部は，少なくとも一つのサブフィールドで，直前のサブフィールドで維持放電された放電セルのみ初期化放電させることを特徴とする請求項３２，３３または３４のいずれか１項に記載のプラズマディスプレイ装置。
【請求項３６】
複数の放電セルが形成されており，前記放電セルは少なくとも２つの電極によって形成されるプラズマディスプレイパネルと，
１フィールドを，それぞれ加重値を有する複数のサブフィールドに分割し，各サブフィールドで前記電極に電圧を印加することにより，前記放電セルを放電させて階調の表示を行う駆動部と，を含み，
前記駆動部は，少なくとも一つのサブフィールドで点灯する放電セルを選択すると同時に，前記点灯放電セルに対してのみ初期化放電を行うことを特徴とするプラズマディスプレイ装置。
【発明の詳細な説明】
【技術分野】
【０００１】
本発明は，プラズマディスプレイパネル（ＰＤＰ，Ｐｌａｓｍａ  Ｄｉｓｐｌａｙ  Ｐａｎｅｌ）の駆動方法およびプラズマディスプレイ装置に関する。
【背景技術】
【０００２】
プラズマディスプレイパネルは，気体放電によって生成されたプラズマを用いて文字又は映像を表示する平面表示装置であって，その大きさに応じて数十から数百万個以上の画素がマトリクス状に配列されている。
【０００３】
次に，図１および図２を参照してプラズマディスプレイパネルの構造について説明する。図１はプラズマディスプレイパネルの部分斜視図，図２はプラズマディスプレイパネルの電極配列図である。
【０００４】
図１に示すように，プラズマディスプレイパネルは，離隔して対向配置されている２枚のガラス基板１，６を含む。ガラス基板１上には，走査電極４と維持電極５とが対を成して平行に設けられている。走査電極４と維持電極５は誘電体層２および保護膜３で覆われている。ガラス基板６上には複数のアドレス電極８が設けられている。アドレス電極８は誘電体層７で覆われている。アドレス電極８の間にある誘電体層７上には隔壁９が設けられている。また，誘電体層７の表面および隔壁９の両側面に蛍光体１０が設けられている。ガラス基板１，６は，走査電極４とアドレス電極８，および維持電極５とアドレス電極８が直交するように，放電空間１１を介して対向配置されている。アドレス電極８と，対を成す走査電極４および維持電極５との交差部にある放電空間１１が放電セル１２を形成する。
【０００５】
図２に示すように，プラズマディスプレイパネルの電極はｎ×ｍのマトリックス構造を持っている。列方向にはアドレス電極Ａ１−Ａｍが伸びており，横方向には走査電極Ｙ１−Ｙｎおよび維持電極Ｘ１−Ｘｎが対になって配列されている。
【０００６】
一般に，プラズマディスプレイパネルは，１フィールドが，それぞれ加重値を有する複数のサブフィールドに分けられて駆動され，サブフィールドの組み合わせによる加重値の和によって階調が表現される。各サブフィールドは，図３に示すように，リセット期間（第１期間），アドレス期間（第２期間），維持期間（第３期間）からなる。リセット期間は，初期化放電によって，直前の維持放電で形成された壁電荷を消去し且つ次のアドレス放電を安定的に行うために，壁電荷を初期化する期間である。アドレス期間は，パネルで点灯するセル（以下，「点灯セル」という）と点灯しないセル（以下，「消灯セル」という）を選択し，点灯セル（アドレスされたセル）に壁電荷の蓄積を行う期間である。維持期間はアドレスされたセルに画像を実際に表示するための維持放電を行う期間である。
【０００７】
一般に，リセット期間では全ての放電セルに対して初期化を行わなければならないので，リセット期間に印加される最高電圧と最低電圧との差は走査電極とアドレス電極間の放電開始電圧Ｖｆ＿ａｙの２倍程度のレベルに設定される。すなわち，図３の駆動波形では，リセット期間における最高電圧Ｖｓｅｔと最低電圧Ｖｎｆとの差が２Ｖｆ＿ａｙ又はそれ以上に設定される。与えられた外部印加電圧で安定状態を維持する放電セルの内部電極間電圧は，外部印加電圧と壁電圧との和によって定められ，−Ｖｆ＿ａｙからＶｆ＿ａｙまでの間の電圧を有する。従って，全ての放電セルにおいて放電を発生させるためには，走査電極とアドレス電極との間に２Ｖｆ＿ａｙだけの電圧変動が印加されなければならない。すなわち，２Ｖｆ＿ａｙ又はそれ以上の外部電圧が印加されると，この外部電圧が壁電圧と共にいずれの極性でも内部電極間の電圧をＶｆ＿ａｙ以上にすることが可能なので，全ての放電セルで初期化放電が起こりうる。ところが，このようなリセット電圧が全ての放電セルに印加されると，消灯放電セルでもサブフィールド毎に必ず放電が起こることになるので，０階調の画面を表示するとき，画面が曇って見える現象が発生する。
【０００８】
このような現象を低減するために，１フィールド中の１つのサブフィールドのみで図３のリセット波形を印加する方法がＫｕｒａｔａ等によって提案された（特許文献１参照）。特許文献１には，１フィールドのうち１番目のサブフィールドのみで図３のリセット波形を印加し，残りのサブフィールドでは下降ランプ波形のみを印加する方法が開示されている。
【特許文献１】米国特許第６,２９４,８７５号明細書
【発明の開示】
【発明が解決しようとする課題】
【０００９】
しかしながら，上記従来の方法では，リセット期間で下降ランプ波形のみが印加されるサブフィールドでは，直前のサブフィールドで維持放電が起こった放電セルのみで消去放電が起こる。従って，リセット期間中に消灯放電セルで微弱な放電が起こる現象を低減することはできるが，１フィールド内に図３のリセット波形が少なくとも１回は印加されるため，微弱な放電を完全に防止することができず，画面が曇って見える現象を防止できないという問題点がある。
また，従来の駆動方法によれば，図３のようなリセット波形によってリセット期間が長くなってアドレス期間又は維持期間に割り当てられる時間が短いという問題点がある。
【００１０】
そこで，本発明は，このような問題に鑑みてなされたもので，その目的とするところは，消灯放電セルでは放電が起こらないようにすることにより，ブラック画面において画面が曇って見える現象を防止するとともに，１フィールドでリセット期間の占める時間を低減することが可能な，新規かつ改良されたプラズマディスプレイ装置およびプラズマディスプレイパネルの駆動方法を提供することにある。
【課題を解決するための手段】
【００１１】
上記課題を解決するために，本発明は，点灯放電セルに対してアドレス放電と初期化放電を同時に行う。
【００１２】
上記課題を解決するために，本発明のある観点によれば，一方向に伸びている複数の第１電極，および上記第１電極と交差する方向に伸びている複数の第２電極を含み，上記第１電極と上記第２電極とが交差する領域に放電セルがそれぞれ形成されるプラズマディスプレイパネルを駆動する方法が提供される。本発明の駆動方法は，第１グループのサブフィールドにおいて，上記複数の第１電極を選択する順序通りに，上記選択される第１電極に対して，他の第１電極に印加される第１電圧より高い第２電圧を印加し，上記選択された第１電極に対応する複数の放電セルのうち，点灯放電セルの上記第２電極に対して，他の第２電極に印加される第３電圧より低い第４電圧を印加することにより，上記点灯放電セルを選択する段階と，上記サブフィールドで上記選択した放電セルを維持放電させる段階とを含む。
【００１３】
また，上記第１電極と上記第２電極との間で，上記第１電極から第２電極へ電界が設定されて放電が起こってもよい。
【００１４】
また，１フィールドは，上記第１グループのサブフィールドと第２グループのサブフィールドを含み，上記第１および第２グループは上記点灯放電セルの選択時に印加される電圧によって決定されてもよい。そして，本発明の駆動方法は，上記第２グループのサブフィールドにおいて，上記複数の第１電極を選択する順序通りに，上記選択する第１電極に対して，他の第１電極に印加される第５電圧より低い第６電圧を印加し，上記選択される第１電極に対応する複数の放電セルのうち，点灯放電セルの上記第２電極に対して，他の第２電極に印加される第７電圧より高い第８電圧を印加することにより，上記点灯放電セルを選択する段階と，上記サブフィールドで上記選択した放電セルを維持放電させる段階とをさらに含んでもよい。
【００１５】
また，上記プラズマディスプレイパネルは，上記第１電極と実質的に同一の方向に伸びており，それぞれ上記第１電極および上記第２電極と共に上記放電セルを形成する複数の第３電極をさらに含んでもよい。上記第１グループのサブフィールドにおける上記維持放電のうち最初の維持放電は，上記第１電極に第９電圧を印加し，上記第３電極に上記第９電圧より高い第１０電圧を印加して形成されてもよい。
【００１６】
また，上記第２グループのサブフィールドにおける上記維持放電のうち最初の維持放電は，上記第１電極に第１１電圧を印加し，上記第３電極に上記第１１電圧より低い第１２電圧を印加して形成されてもよい。
【００１７】
また，上記第１グループのサブフィールドにおいて上記放電セルを選択する前に，直前のサブフィールドにおける維持放電によって形成された壁電荷を消去する段階をさらに含んでもよい。
【００１８】
また，上記第１グループのサブフィールドに含まれる第１サブフィールドにおいて上記放電セルを選択する前に，上記第１電極の電圧を第１３電圧から第１４電圧まで徐々に降下させる段階をさらに含んでもよい。ここで，上記第２電圧から上記第４電圧を差し引いた電圧が第１５電圧であり，上記第１４電圧より，上記第１４電圧が上記第１電極に印加されるときに上記第２電極に印加される電圧を差し引いた電圧が第１６電圧である場合，上記第１５電圧と上記第１６電圧との差が，上記維持放電のために上記第１電極と上記第３電極に印加される電圧の差の実質的に２倍以上になってもよく，或いは実質的に上記第１電極と上記第２電極間の放電開始電圧の２倍以上になってもよい。
【００１９】
また，上記第２グループのサブフィールドにおいて，上記放電セルを選択する前に，直前のサブフィールドで維持放電が起こった放電セルを初期化する段階をさらに含んでもよい。
【００２０】
また，上記第２グループのサブフィールドにおいて，上記放電セルを選択する前に，上記第１電極の電圧を第１３電圧から第１４電圧まで徐々に降下させる段階をさらに含んでもよい。
【００２１】
また，上記第２電圧と上記第１電圧の差は，上記第５電圧と上記第６電圧の差と同一，又はそれより大きくてもよい。
【００２２】
また，上記第８電圧は，上記第３電圧と同レベルの電圧であってもよく，上記第７電圧は上記第４電圧と同レベルの電圧であってもよい。
【００２３】
また，上記第１電圧は，上記第１グループのサブフィールドで上記第１電極に印加される最高電圧であってもよい。
【００２４】
また，１フィールドのうち最初のサブフィールドは，上記第１グループのサブフィールドであってもよい。ここで，上記１フィールドのうち上記第１グループのサブフィールドは加重値の低いサブフィールドであってもよく，上記放電セルが１フィールドで少なくとも１回点灯する場合，上記放電セルは上記第１グループのサブフィールド中で必ず点灯してもよい。
【００２５】
また，１フィールドの階調が０の場合，１フィールドの少なくとも一つのサブフィールドは，上記第１グループのサブフィールドであってもよい。
【００２６】
上記課題を解決するために，本発明の別の観点によれば，一方向に伸びている複数の第１電極，および上記第１電極と交差する方向に伸びている複数の第２電極を含み，上記第１電極と上記第２電極とが交差する領域に放電セルがそれぞれ形成されるプラズマディスプレイパネルと，上記複数の第１電極を選択する順序通りに，上記選択される第１電極に選択電圧を印加する第１駆動部と，上記複数の第２電極に駆動電圧を印加して，上記選択電圧が印加された第１電極と共に点灯する放電セルを選択する第２駆動部とを含むプラズマディスプレイ装置が提供される。ここで，第１グループのサブフィールドにおける上記選択電圧が上記サブフィールド期間に上記第１電極に印加される電圧のうち実質的な最高電圧である。
【００２７】
また，上記サブフィールドにおける上記選択電圧である第２電圧が，上記第１電極に印加される間，他の第１電極には上記第２電圧より低い第１電圧が印加されてもよい。
【００２８】
また，上記第２駆動部は，複数の上記第２電極のうち点灯放電セルに対応する第２電極に対して，他の第２電極に印加される第３電圧より低い第４電圧を印加し，上記第１電極から上記第２電極へ電界が形成されて放電が起って上記放電セルが選択されてもよい。
【００２９】
また，１フィールドは，上記第１グループのサブフィールドと第２グループのサブフィールドを含み，上記第１および第２グループは，上記点灯放電セルの選択時に印加される電圧によって決定されてもよく，上記第２グループのサブフィールドにおいて，上記選択電圧である第６電圧が上記第１電極に印加される間，他の第１電極には上記第６電圧より高い第５電圧が印加されてもよい。
【００３０】
また，上記第２駆動部は，上記第２グループのサブフィールドで複数の上記第２電極のうち点灯放電セルに対応する第２電極に対して，他の第２電極に印加される第７電圧より高い第８電圧を印加して上記放電セルを選択してもよい。
【００３１】
また，上記プラズマディスプレイパネルは，上記第１電極と実質的に同じ方向に伸びており，第１電極および上記第２電極と共に上記放電セルを形成する複数の第３電極をさらに含んでもよく，上記選択した放電セルの上記第１電極と上記第３電極に維持放電のための電圧を印加して，上記選択した放電セルを維持放電させてもよい。
【００３２】
上記課題を解決するために，本発明の別の観点によれば，一方向に伸びている複数の第１電極と複数の第３電極，および上記第１電極と交差する方向に伸びている複数の第２電極を含み，上記第１電極，上記第２電極および上記第３電極によって放電セルがそれぞれ形成されるプラズマディスプレイパネルと，上記第１電極に第９電圧と第１１電圧を交互に印加する第１駆動部と，上記第１電極に上記第９電圧が印加される間，上記第３電極に上記第９電圧より高い第１０電圧を印加し，上記第１電極に上記第１１電圧が印加される間，上記第３電極に上記第１１電圧より低い第１２電圧を印加することにより，上記放電セルのうち選択された放電セルを維持放電させる第３駆動部とを含むプラズマディスプレイ装置が提供される。ここで，１フィールドのうち第１グループのサブフィールドでは，上記第９電圧と上記第１０電圧によって最初の維持放電が起こり，第２グループの細部フィールドに含まれるサブフィールドでは，上記第１１電圧と上記第１２電圧によって最初の維持放電が起こる。
【００３３】
また，上記第１駆動部は，上記複数の第１電極のうち選択しようとする第１電極に選択電圧を印加してもよく，上記プラズマディスプレイ装置は，上記選択電圧が上記第１電極に印加される間，複数の上記第２電極のうち点灯放電セルに対応する第２電極にアドレス電圧を印加して上記放電セルを選択する第２駆動部をさらに含んでもよい。
【００３４】
また，上記第１グループのサブフィールドでは，上記選択電圧が上記アドレス電圧より高くてもよく，上記第２グループのサブフィールドでは，上記選択電圧が上記アドレス電圧より低くてもよい。
【００３５】
また，上記第３駆動部は，上記第１グループのサブフィールドで上記選択電圧が上記第１電極に印加される間，上記第２電極に上記選択電圧より低い電圧を印加し，上記第２グループのサブフィールドで上記選択電圧が上記第１電極に印加される間，上記第３電極に上記選択電圧より高い電圧を印加してもよい。
【００３６】
また，上記第１グループのサブフィールドでは，上記選択電圧が，上記サブフィールドで上記第１電極に印加される電圧の中の最高電圧であってもよい。
【００３７】
また，上記第１駆動部は，直前のサブフィールドで維持放電が終わった後，上記第１電極の電圧を第１４電圧まで徐々に降下させてもよく，上記第１グループのサブフィールドで上記選択電圧と上記第１４電圧の差は，実質的に上記第９電圧と第１０電圧の差の２倍以上であってもよい。
【００３８】
また，上記第１駆動部は，直前のサブフィールドで維持放電が終わった後，上記第１電極の電圧を第１４電圧まで徐々に降下させてもよく，上記第１グループのサブフィールドで，上記選択電圧と上記第１４電圧の差が実質的に上記第１電極と第２電極間の放電開始電圧の２倍以上であってもよい。
【００３９】
上記課題を解決するために，本発明の別の観点によれば，複数の放電セルが形成されており，上記放電セルは少なくとも２つの電極によって形成されるプラズマディスプレイパネルと，１フィールドをそれぞれ加重値を有する複数のサブフィールドに分割し，各サブフィールドで上記電極に電圧を印加することにより，上記放電セルを放電させて階調の表示を行う駆動部とを含むプラズマディスプレイ装置が提供される。ここで，直前のフィールドで生成された壁電荷が消去された状態で，少なくとも一つのフィールドの間，点灯放電セルのみで放電が起こる。
【００４０】
また，１サブフィールドは，上記放電セルを初期化放電させる第１期間，上記放電セルのうち点灯放電セルを選択する第２期間，および上記選択された放電セルを維持放電させる第３期間からなりたってもよく，上記駆動部は，少なくとも一つのサブフィールドで第１期間と第２期間を同時に行ってもよい。
【００４１】
また，上記第１期間と上記第２期間が同時に行われる場合，上記点灯放電セルのみ初期化されてもよい。
【００４２】
また，上記駆動部は，少なくとも一つのサブフィールドで，直前のサブフィールドで維持放電された放電セルのみ初期化放電させてもよい。
【００４３】
上記課題を解決するために，本発明の別の観点によれば，複数の放電セルが形成されており，上記放電セルは少なくとも２つの電極によって形成されるプラズマディスプレイパネルと，１フィールドを，それぞれ加重値を有する複数のサブフィールドに分割し，各サブフィールドで上記電極に電圧を印加することにより，上記放電セルを放電させて階調の表示を行う駆動部とを含むプラズマディスプレイ装置が提供される。ここで，上記駆動部は少なくとも一つのサブフィールドで点灯する放電セルを選択すると同時に，上記点灯放電セルに対してのみ初期化放電を行う。
【発明の効果】
【００４４】
本発明によれば，一部のサブフィールドにおいて放電セルのみでアドレス放電が起こると同時に初期化放電が起こるので，一部のサブフィールドで上昇波形と下降波形からなるリセット期間を防止することができるプラズマディスプレイパネルの駆動方法およびプラズマディスプレイ装置を提供できるものである。また，消灯放電セルでは，初期化放電が起こらないので，０階調（ブラック階調）の画面で発光が行われず，これによりブラック画面において画面が曇ってしまう現象を防止することができる。
【発明を実施するための最良の形態】
【００４５】
以下に添付図面を参照しながら，本発明の好適な実施の形態について詳細に説明する。なお，本明細書および図面において，実質的に同一の機能構成を有する構成要素については，同一の符号を付することにより重複説明を省略する。
【００４６】
一方，本発明で言及される壁電荷とは，放電セルの壁（例えば，誘電体層）上で各電極に近く形成される電荷のことをいう。壁電荷は電極自体に実際接触しないが，ここでは電極に「形成される」，「蓄積される」または「積もる」のように説明する。また，壁電圧とは壁電荷によって放電セルの壁に形成される電位差のことをいう。
【００４７】
次に，本発明の実施形態に係るプラズマディスプレイパネルの駆動方法とプラズマディスプレイ装置について図面を参照して詳細に説明する。
【００４８】
図４は，本発明の実施形態に係るプラズマディスプレイ装置の概略的な概念図である。図４に示すように，本発明の実施形態に係るプラズマディスプレイ装置は，プラズマディスプレイパネル１００，制御部２００，アドレス電極駆動部３００，維持電極駆動部４００および走査電極駆動部５００を含む。
【００４９】
プラズマディスプレイパネル１００は，列方向に伸びている複数のアドレス電極Ａ１〜Ａｍ（第２電極）と，横方向に互いに対を成して伸びている複数の維持電極Ｘ１〜Ｘｎ（第３電極）および走査電極Ｙ１〜Ｙｎ（第１電極）とを含む。維持電極Ｘ１〜Ｘｎは各走査電極Ｙ１〜Ｙｎに対応して設けられ，一般にその一端が互いに共通に連結されている。プラズマディスプレイパネル１００は，維持電極Ｘ１〜Ｘｎおよび走査電極Ｙ１〜Ｙｎが配列されたガラス基板（図示せず）と，アドレス電極Ａ１〜Ａｍが配列されたガラス電極（図示せず）とからなる。２枚のガラス基板は，走査電極Ｙ１〜Ｙｎとアドレス電極Ａ１〜Ａｍ，および維持電極Ｘ１〜Ｘｎとアドレス電極Ａ１〜Ａｍがそれぞれ直交するように放電空間を介して対向配置される。この際，アドレス電極Ａ１〜Ａｍと維持および走査電極Ｘ１〜Ｘｎ，Ｙ１〜Ｙｎとの交差部にある放電空間が放電セルを形成する。
【００５０】
制御部２００は，外部から映像信号を受信してアドレス駆動制御信号，維持電極駆動制御信号および走査電極駆動制御信号を出力する。そして，制御部２００は，１フィールドを，それぞれの加重値を有する複数のサブフィールドに分割して駆動する。
【００５１】
アドレス期間において，走査電極駆動部５００（第１駆動部）は，走査電極Ｙ１〜Ｙｎが選択される順序通りに（例えば，順次）走査電極Ｙ１〜Ｙｎに選択電圧を印加し，アドレス電極駆動部３００（第２駆動部）は，制御部２００からアドレス駆動制御信号を受信し，各走査電極に選択電圧が印加される度に点灯放電セルを選択するためのアドレス電圧を各アドレス電極Ａ１〜Ａｍに印加する。すなわち，アドレス期間で選択電圧が印加された走査電極と，その走査電極に選択電圧が印加されるときにアドレス電圧が印加されたアドレス電極とによって形成される放電セルが点灯放電セルとして選択される。
【００５２】
維持期間において，維持電極駆動部４００（第３駆動部）と走査電極駆動部５００（第１駆動部）は，制御部から制御信号を受信して維持電極Ｘ１〜Ｘｎと走査電極Ｙ１〜Ｙｎに維持放電のための電圧を交互に印加する。また，リセット期間又は消去期間で，走査電極駆動部５００は走査電極Ｙ１〜Ｙｎにリセット又は消去のための電圧を印加する。
【００５３】
次に，各サブフィールドでアドレス電極Ａ１〜Ａｍ，維持電極Ｘ１〜Ｘ２および走査電極Ｙ１〜Ｙｎに印加される駆動波形について図５〜図１２ｂを参照して詳細に説明する。この際，一つのアドレス電極Ａ，維持電極Ｘおよび走査電極Ｙによって形成される放電セルを基準として説明する。
【００５４】
図５は本発明の第１実施形態に係るプラズマディスプレイパネルの駆動波形図である。図６ａおよび図６ｂはそれぞれ図５のサブフィールド１ＳＦで消去期間の直前と直後の壁電荷状態を示す図である。図７ａおよび図７ｂはそれぞれ図５のサブフィールド１ＳＦでアドレス放電と最初維持放電によって形成された壁電荷状態を示す図である。図８は走査電極に連結された選択回路を示す図である。
【００５５】
図５に示すように，本発明の第１実施形態に係る駆動波形では，１フィールドが複数のサブフィールドからなり，サブフィールドの中の少なくとも一つ（図５ではサブフィールド１ＳＦ）が他のサブフィールドとは異なる駆動波形から構成される。例えば１フィールドが８つのサブフィールドからなる場合，少なくとも一つのサブフィールド１ＳＦ（第１グループのサブフィールド）が消去期間Ｐｅ，アドレス期間Ｐａ１，維持期間Ｐｓ１からなり，残りのサブフィールド２ＳＦ〜８ＳＦ（第２グループのサブフィールド）はリセット期間Ｐｒ，アドレス期間Ｐａ２および維持期間Ｐｓ２からなる。
【００５６】
まず，消去期間Ｐｅ，アドレス期間Ｐａ１および維持期間Ｐｓ１からなるサブフィールド１ＳＦについて説明する。サブフィールド１ＳＦの消去期間Ｐｅでは，直前のサブフィールドの維持期間Ｐｓ２で維持放電が起こった放電セルに対する消去が行われる。直前のサブフィールド８ＳＦの維持期間Ｐｓ２は，走査電極に高電圧Ｖｓ＿ｈＹが印加され，維持電極Ｘに低電圧Ｖｘ＿１Ｘが印加された状態で終わる。この際，直前のサブフィールド８ＳＦのアドレス期間Ｐａ２でアドレスされた放電セルは，維持放電が起こって，図６ａに示すように走査電極Ｙに（−）壁電荷，維持電極Ｘに（＋）壁電荷，アドレス電極Ａに（＋）壁電荷がそれぞれ蓄積された状態で維持放電が終了する。そして，直前のサブフィールド８ＳＦのアドレス期間Ｐａ２でアドレスされていない放電セルでは，アドレス放電および維持放電が起こらないから，直前のサブフィールドのアドレス期間前に設定された壁電荷状態がそのまま維持される。
【００５７】
消去期間Ｐｅでは，維持電極Ｘとアドレス電極ＡがそれぞれＶｂ電圧とＶａ＿ｌ電圧にバイアスされた状態で走査電極Ｙの電圧がＶｓ＿ｈＹ電圧（第１３電圧）からＶｎｆ電圧（第１４電圧）まで徐々に減少する。この際，Ｖｓ＿ｈＸ電圧とＶｎｆ電圧の差は直前のサブフィールド８ＳＦの維持期間Ｐｓ２の最後の維持放電によって形成された壁電荷による壁電圧と共に放電を起こしうる電圧にする。すると，直前のサブフィールド８ＳＦの維持期間Ｐａ２における維持放電によって形成された壁電荷は，微弱な放電が起こりながら図６ｂのように消去される。そして，直前のサブフィールド８ＳＦで維持放電が起こっていない放電セルでは壁電荷が消去されない。
【００５８】
この消去期間Ｐｅは，直前のフィールドのサブフィールド８ＳＦにおける維持期間Ｐｓ２に繋がる期間なので，直前のフィールドのサブフィールド８ＳＦに含まれるものと解析することができる。すなわち，直前のフィールドのサブフィールド８ＳＦで維持放電があったならば，消去期間で消去放電が起こり，維持放電がなかったならば，消去放電が起こらない。
【００５９】
次に，アドレス期間Ｐａ１では，維持電極ＸをＶｈｓｃ＿ｈ電圧（第２電圧）より低いＶｂ電圧に維持した状態で点灯放電セルを選択するために，走査電極Ｙとアドレス電極ＡにそれぞれＶｈｓｃ＿ｈ電圧およびＶａ＿ｌ電圧（）を印加する。そして，選択されない走査電極は，Ｖｈｓｃ＿ｈ電圧より低いＶｓ＿ｈＹ電圧（第１電圧）にバイアスし，消灯放電セルのアドレス電極にはＶａ＿ｌ電圧より高いＶａ＿ｈ電圧（第３電圧）を印加する。
【００６０】
具体的に，まず第１行の走査電極（図４のＹ１）にＶｈｓｃ＿ｈ電圧を印加すると同時に，第１行のうち表示しようとする放電セルに対応するアドレス電極にＶｈｓｃ＿ｈ電圧より低いＶａ＿ｌ電圧（第４電圧）を印加する。そして，Ｖｈｓｃ＿ｈ電圧とＶａ＿ｌ電圧の差は，消去期間Ｐｅで形成された壁電圧と共にアドレス電極Ａと走査電極Ｙ間の放電開始電圧より大きく設定される。すると，Ｖｈｓｃ＿ｈ電圧が印加された第１行の走査電極ＹとＶａ＿ｌ電圧が印加されたアドレス電極Ａとの間で走査電極Ｙからアドレス電極Ａに電界が形成されて放電が起こり，次に走査電極Ｙとこの走査電極に隣接した維持電極Ｘとの間で放電が起こる。したがって，図７ａに示すように，走査電極Ｙに（−）壁電荷，アドレス電極Ａと維持電極Ｘにそれぞれ（＋）壁電荷が形成される。
【００６１】
その次，第２行の走査電極(図４のＹ２)にＶｈｓｃ＿ｈ電圧を印加しながら，第２行のうち表示しようとする放電セルに対応するアドレス電極ＡにＶａ＿ｌ電圧を印加する。すると，前述したようにＶａ＿ｌ電圧が印加されたアドレス電極ＡとＶｈｓｃ＿ｈ電圧が印加された走査電極Ｙとによって形成される放電セルでアドレス放電が起こって，放電セルに図７ａのように壁電荷が形成される。同様に，残りの行の走査電極Ｙに対しても順次Ｖｈｓｃ＿ｈ電圧を印加しながら，表示しようとする放電セルに対応するアドレス電極にＶａ＿ｌ電圧を印加して壁電荷を形成する。
【００６２】
アドレス放電によって走査電極Ｙに（−）壁電荷が形成され，維持電極Ｘに（＋）壁電荷が形成されたので，維持期間Ｐｓ１では，まず走査電極ＹにＶｓ＿ｌＹ電圧（第９電圧）を印加し，維持電極ＸにＶｓ＿ｌＹ電圧より高いＶｓ＿ｈＸ電圧（第１０電圧）を印加する。この際，Ｖｓ＿ｈＸ電圧とＶｓ＿ｌＹ電圧の差Ｖｓ＿ｈＸ−Ｖｓ＿ｌＹは，アドレス期間Ｐａ２で選択された放電セルで走査電極Ｙと維持電極Ｘに形成された壁電荷による壁電圧Ｖｗ１との和が放電開始電圧を超えるようにするレベルである。すると，アドレス期間Ｐａ１で放電が起こった放電セルでは，走査電極Ｙと維持電極Ｘとの間で放電が起こる。そして，図７ｂに示すように，維持放電が起こった放電セルの走査電極Ｙと維持電極Ｘにはそれぞれ（＋）壁電荷と（−）壁電荷が蓄積され，アドレス電極Ａには（＋）壁電荷が蓄積される。
【００６３】
次いで，走査電極ＹにＶｓ＿ｈＹ電圧（第１１電圧）を印加し，維持電極ＸにＶｓ＿ｈＹ電圧より低いＶｓ＿ｌＸ電圧（第１２電圧）を印加する。この際，Ｖｓ＿ｈＹ電圧とＶｓ＿ｌＸ電圧との差は，直前の維持放電によって形成された壁電荷による壁電圧Ｖｗ２との和が放電開始電圧を超えるようにするレベルである。すると，直前に維持放電が起こった放電セルの走査電極Ｙと維持電極Ｘとの間で維持放電が起こる。この際，Ｖｓ＿ｈＸ電圧とＶｓ＿ｌＹ電圧の差はＶｓ＿ｈＹ電圧とＶｓ＿ｌＸ電圧の差と実質的に同一である。Ｖｓ＿ｈＸ電圧とＶｓ＿ｈＹ電圧を同一のレベルにし，かつＶｓ＿１Ｘ電圧とＶｓ＿ｌＹ電圧を同一のレベルにすると，電源の数を減らすことができる。
【００６４】
その後，走査電極Ｙと維持電極ＸにそれぞれＶｓ＿１Ｙ電圧とＶｓ＿ｈＸ電圧を印加する過程，および走査電極Ｙと維持電極ＸにそれぞれＶｓ＿ｈＹ電圧とＶｓ＿ｌＸ電圧を印加する過程を，当該サブフィールドが表示する加重値に対応する回数だけ繰り返して維持放電を持続させることができる。そして，走査電極ＹにＶｓ＿ｈＹ電圧を印加し，維持電極ＸにＶｓ＿ｌＸ電圧を印加した後，維持期間Ｐｓ１を終了する。
【００６５】
次に，リセット期間Ｐｒ，アドレス期間Ｐａ２および維持期間Ｐｓ２からなるサブフィールド２ＳＦのリセット期間Ｐｒでは，維持電極Ｘとアドレス電極ＡがそれぞれＶｂ電圧とＶａ＿ｌ電圧にバイアスされた状態で走査電極Ｙの電圧がＶｓ＿ｈＹ電圧からＶｎｆ電圧まで徐々に減少する。この際，直前のサブフィールド１ＳＦで維持放電が起っていない放電セルは，直前のサブフィールド１ＳＦにおける消去期間Ｐｅの最終電圧によって設定された壁電荷状態をそのまま維持しており，現サブフィールド２ＳＦのリセット期間の最終電圧Ｖｎｆ，ＶｂおよびＶａ＿ｌと直前のサブフィールドにおける消去期間Ｐｅの最終電圧Ｖｎｆ，Ｖｂ，Ｖａ＿ｌが同一なので，消去放電が起こらない。そして，直前のサブフィールド１ＳＦで維持放電が起こった放電セルでは，走査電極Ｙの電圧が徐々に降下し，最後の維持放電によって形成された壁電圧（図７ｂ参照）と共に放電開始電圧を超えるとき，微弱な放電が発生して壁電荷が消去されて図６ｂのようになる。
【００６６】
次に，アドレス期間Ｐａ２では，維持電極ＸをＶｂ電圧に維持した状態で点灯放電セルを選択するために，走査電極Ｙとアドレス電極Ａに，それぞれＶｂ電圧より低いＶｌｓｃ＿ｌ電圧（第６電圧）およびＶｌｓｃ＿ｌ電圧より高いＶａ＿ｈ電圧（第７電圧）を印加する。そして，選択されない走査電極はＶｌｓｃ＿ｌ電圧より高いＶｌｓｃ＿ｈ電圧（第５電圧）にバイアスされ，消灯放電セルのアドレス電極にはＶａ＿ｈ電圧より低いＶａ＿ｌ電圧（第８電圧）を印加する。
【００６７】
具体的に，まず第１行の走査電極（図４のＹ１）にＶｌｓｃ＿ｌ電圧を印加すると同時に，第１行のうち表示しようとする放電セルに対応するアドレス電極にＶａ＿ｈ電圧を印加する。図５では，Ｖｌｓｃ＿ｌ電圧をリセット期間ＰｒのＶｎｆ電圧と同一のレベルで表示した。すると，Ｖａ＿ｈ電圧が印加されたアドレス電極Ａから，Ｖｌｓｃ＿ｌ電圧が印加された第１行の走査電極Ｙへ電界が形成されて放電が起こり，その後走査電極Ｙとこの走査電極に隣接した維持電極Ｘとの間で放電が起こる。これにより，走査電極Ｙに（＋）壁電荷，アドレス電極Ａと維持電極Ｘにそれぞれ（−）壁電荷が形成される。
【００６８】
次いで，第２行の走査電極（図４のＹ２）にＶｌｓｃ＿ｌ電圧を印加しながら，第２行のうち表示しようとする放電セルに対応するアドレス電極ＡにＶａ＿ｈ電圧を印加する。すると，Ｖａ＿ｈ電圧の印加されたアドレス電極ＡとＶｌｓｃ＿ｌ電圧の印加された走査電極Ｙによって形成される放電セルでアドレス放電が起こって，放電セルに壁電荷が形成される。同様に，残りの行の走査電極Ｙに対しても順次Ｖｌｓｃ＿ｌ電圧を印加しながら，点灯放電セルに対応するアドレス電極にＶａ＿ｈ電圧を印加して壁電荷を形成する。
【００６９】
サブフィールド２ＳＦのアドレス放電によって走査電極Ｙに（＋）壁電荷が形成され，維持電極Ｘに（−）壁電荷が形成されたので，維持期間Ｐｓ２では先ず走査電極ＹにＶｓ＿ｈＹ電圧を印加し，維持電極ＸにＶｓ＿ｈＹ電圧より低いＶｓ＿ｌＸ電圧を印加する。すると，アドレス期間Ｐａ２で放電が起こった放電セルでは，走査電極Ｙと維持電極Ｘとの間で放電が起こる。そして，この維持放電が起こった放電セルの走査電極Ｙと維持電極Ｘには，図６ａに示すように，それぞれ（−）壁電荷と（＋）壁電荷が形成される。
【００７０】
その次，走査電極ＹにＶｓ＿ｌＹ電圧が印加され，維持電極ＸにＶｓ＿ｌＹ電圧より高いＶｓ＿ｈＸ電圧が印加されることにより，直前に維持放電が起こった放電セルの走査電極Ｙと維持電極Ｘとの間で維持放電が起こる。その後，走査電極Ｙと維持電極ＸにそれぞれＶｓ＿ｈＹ電圧とＶｓ＿ｌＸ電圧を印加する過程，および走査電極Ｙと維持電極ＸにそれぞれＶｓ＿ｌＹ電圧とＶｓ＿ｈＸ電圧を印加する過程を，当該サブフィールドが表示する加重値に対応する回数だけ繰り返し行って維持放電を持続させる。そして，走査電極ＹにＶｓ＿ｈＹ電圧が印加され，維持電極ＸにＶｓ＿ｌＸ電圧が印加された状態で維持期間Ｐｓ２が終了する。
【００７１】
次に，リセット期間Ｐｒ，アドレス期間Ｐａ２および維持期間Ｐｓ２からなる残りのサブフィールド３ＳＦ〜８ＳＦでは，サブフィールド２ＳＦと同様の波形が印加される。但し，これらのサブフィールド３ＳＦ〜８ＳＦの加重値に応じて，維持期間Ｐｓ２で反復される維持放電パルスの個数が異なる。そして，これらのサブフィールド３ＳＦ〜８ＳＦでは，直前のサブフィールドで維持放電が起っていない放電セル，すなわちアドレス放電が起っていない放電セルは，直前のサブフィールドのリセット期間Ｐｒで設定された壁電荷状態をそのまま維持するので，現サブフィールドのリセット期間Ｐｒには消去放電が起こらない。
【００７２】
以上説明したようにサブフィールドを設定すると，１フィールド内で点灯しない放電セル，すなわち０階調に対応する放電セルでは，いずれの放電も起こらない。従って，特定領域の放電セルが全て０階調のときは，その領域で放電が起こらないので，黒い画面が曇ってみえる現象を防止することができる。
【００７３】
そして，サブフィールド１ＳＦのアドレス期間Ｐａ１で走査電極Ｙに印加されるＶｈｓｃ＿ｈ電圧と消去期間又はリセット期間で走査電極Ｙに印加されるＶｎｆ電圧との差を，アドレス電極Ａと走査電極Ｙ間の放電開始電圧Ｖｆ＿ａｙの２倍以上に設定することができる。こうすると，サブフィールド１ＳＦで点灯する放電セルの走査電極Ｙには，Ｖａ＿ｌ電圧が印加されたアドレス電極Ａを基準としてＶｎｆ電圧とＶｈｓｃ＿ｈ電圧が印加されるので，走査電極Ｙとアドレス電極Ａに印加される電圧の差Ｖｈｓｃ＿ｈ−Ｖｎｆを放電開始電圧Ｖｆ＿ａｙの２倍以上にすることができる。但し，Ｖａ＿ｌ電圧の印加されたアドレス電極とは放電が起こらないように，Ｖｈｓｃ＿ｈ電圧とＶａ＿ｈ電圧の差は２Ｖｆ＿ａｙ電圧より小さくする。そして，Ｖｓ＿ｌｘ，Ｖｓ＿ｌＹおよびＶａ電圧を０Ｖと仮定する場合，アドレス期間でアドレス放電が起っていない放電セルが維持期間中にアドレス電極Ａと走査電極Ｙとの間で放電しないように，走査電極Ｙに印加される電圧Ｖｓ＿ｈＹ又は維持電極Ｘに印加される電圧Ｖｓ＿ｌＹは，Ｖｆ＿ａｙ電圧と同一又はより小さく設定される。すなわち，Ｖｓ＿ｌｘ電圧とＶｓ＿ｌＹ電圧を０Ｖと仮定したとき，Ｖｓ＿ｈＹ電圧とＶｓ＿ｈＸ電圧がＶｆ＿ａｙより小さいので，Ｖｓ＿ｌＸ電圧とＶｓ＿ｌＹ電圧が０Ｖでなければ，Ｖｓ＿ｈＹ−Ｖｓ＿ｌＸ電圧およびＶｓ＿ｈＸ−Ｖｓ＿ｌＹ電圧がＶｆ＿ａｙ電圧以下である。従って，Ｖｈｓｃ＿ｈ電圧とＶｎｆ電圧の差をおよそ，維持期間で走査電極Ｙと維持電極Ｘに印加される電圧の差（Ｖｓ＿ｈＹ−Ｖｓ＿ｌＸ）の２倍以上に設定することもできる。ここで第１５電圧は，Ｖｈｓｃ＿ｈ電圧とＶａ＿ｌ電圧の差のことであり，第１６電圧はＶｎｆ電圧とＶａ＿ｌ電圧の差のことである。
【００７４】
そして，サブフィールド１ＳＦの消去期間Ｐｅの最終電圧でアドレス電極Ａと走査電極Ｙに形成される壁電圧は，走査電極Ｙに印加された電圧Ｖｎｆとアドレス期間Ａに印加された電圧Ｖａ＿ｌの差Ｖｎｆ−Ｖａ＿ｌと共に−Ｖｆ＿ａｙ電圧付近を形成している。この際，アドレス期間Ａで走査電極Ｙに印加されるＶｈｓｃ＿ｈとＶｎｆ電圧の差を２Ｖｆ＿ａｙ電圧とすると，アドレス電極Ａと走査電極ＹにそれぞれＶｈｓｃ＿ｈおよびＶａ＿ｌ電圧が印加された放電セルでは，壁電圧と印加された電圧との和がＶｆ＿ａｙ電圧になって放電が起こりうる。そうではない放電セルでは，壁電圧と印加された電圧との和がＶｆ＿ａｙ電圧より小さくて放電が起こらない。すなわち，点灯放電セルに対してのみアドレス放電が起こる。
【００７５】
また，走査電極Ｙとアドレス電極Ａに印加される電圧の差を放電開始電圧Ｖｆ＿ａｙの２倍以上にすると，サブフィールド１ＳＦで走査電極Ｙとアドレス電極ＡにそれぞれＶｈｓｃ＿ｈおよびＶａ＿ｌ電圧が印加された放電セルは，アドレス放電が起こると同時に初期化できる。すなわち，サブフィールド１ＳＦのアドレス放電が図３に示した既存の波形におけるリセット期間が行った初期化機能を行うことができ，このような初期化はサブフィールド１ＳＦで点灯する放電セルのみで起こる。そして，１フィールド内で点灯する放電セルは，必ずサブフィールド１ＳＦで点灯するようにサブフィールドを構成すると，１階調以上の放電セルではサブフィールド１ＳＦのアドレス期間でリセット機能とアドレス機能が行われ，０階調（すなわち，１フィールド中に点灯しない）の放電セルではリセットとアドレス機能が行われない。同一の原理で加重値の低いサブフィールドをサブフィールド１ＳＦのように形成し，ある階調が表現されても，サブフィールド１ＳＦと同じ形のサブフィールドで必ず放電が起こるようにすることもできる。すなわち，加重値１，２，４のサブフィールドをサブフィールド１ＳＦのように形成し，ある階調が表現されても加重値１，２又は４のサブフィールドを含んで階調が表現されるようにサブフィールドを構成することができる。
【００７６】
そして，本発明の第１実施形態では，サブフィールド１ＳＦのアドレス期間Ｐａ１では，点灯放電セルに対応するアドレス電極にはＶａ＿ｌ電圧が印加され，消灯放電セルを通過するアドレス電極ＡにはＶａ＿ｈ電圧が印加される。逆に，サブフィールド２ＳＦ〜８ＳＦのアドレス期間Ｐａ２では，点灯放電セルのアドレス電極にはＶａ＿ｈ電圧が印加され，消灯放電セルのアドレス電極ＡにはＶａ＿ｈ電圧が印加される。したがって，アドレス電極それぞれに連結されてＶａ＿ｈ電圧とＶａ＿ｌ電圧をアドレス電極に選択的に印加するＩＣの制御信号をサブフィールド１ＳＦとサブフィールド２ＳＦ〜８ＳＦで逆に使用すればよい。すなわち，同一のアドレスＩＣとしてアドレス電極を駆動することができる。
【００７７】
また，本発明の第１実施形態では，サブフィールド１ＳＦのアドレス期間Ｐａｌで，走査電極ＹはＶｓ＿ｈＹ電圧にバイアスした状態で順次選択される走査電極ＹにＶｈｓｃ＿ｈ電圧を印加した。一般に，図８に示すように複数の走査電極Ｙ１〜Ｙｎを順次選択するためにＩＣ型の選択回路５２０が走査電極Ｙ１〜Ｙｎにそれぞれ連結されている。このような選択回路５２０は切り換えられる２つのスイッチＹｓｃｈ，Ｙｓｃｌからなり，各スイッチのターンオンによって２つの電圧が走査電極に印加できる。そして，選択回路５２０の両端には，一定電圧ΔＶｓｃの充填されたキャパシタＣｓｃが連結されており，キャパシタＣｓｃの一端には，図５に示した駆動波形を走査電極に印加するための走査電極駆動回路５１０が連結されている。
【００７８】
この際，選択回路５２０は，アドレス期間で走査電極駆動回路５０１から印加される電圧，又はその電圧にキャパシタＣｓｃへの充填電圧ΔＶｓｃを加えた電圧を選択的に走査電極に印加する。ところが，サブフィールド１ＳＦにおけるＶｈｓｃ＿ｈ電圧とＶｓ＿ｈＹ電圧の差がサブフィールド２ＳＦ〜８ＳＦにおけるＶｌｓｃ＿ｈ電圧とＶｌｓｃ＿ｌ電圧の差より大きければ，それぞれの差に相当する電圧を充填しているキャパシタが必要であり，これにより各キャパシタを選択するためのスイッチがさらに必要となる。次に，これらのサブフィールドで同一のキャパシタを利用することが可能な実施形態について図９を参照して説明する。図９は本発明の第２実施形態に係るプラズマディスプレイパネルの駆動波形図である。
【００７９】
図９に示すように，本発明の第２実施形態に係る駆動波形は，サブフィールド１ＳＦのアドレス期間Ｐａ１で選択されない走査電極Ｙに印加される電圧Ｖｈｓｃ＿ｌ（第１電圧）を除いては，図５の駆動波形と同様である。すなわち，本発明の第２実施形態では，サブフィールド１ＳＦのアドレス期間Ｐａ１で走査電極ＹをＶｈｓｃ＿ｌ電圧にバイアスした状態で順次選択される走査電極ＹにＶｈｓｃ＿ｈ電圧を印加する。この際，走査電極Ｙの電圧がＶｓ＿ｈＹ電圧からＶｈｓｃ＿ｌ電圧に変更するときに放電が起こらないので，維持電極Ｘの電圧を図９のようにＶｓ＿ｌＸ電圧にバイアスすることもでき，そのままＶｂ電圧に維持することもできる。
【００８０】
そして，走査電極Ｙの電圧を消去期間ＰｅのＶｓ＿ｈＹ電圧からＶｈｓｃ＿ｌ電圧に変更するときに図９のように徐々に変更すると，放電セルが不安定であって誤放電が起こる場合でも，微弱な放電のみが起こるようにすることができる。図９では走査電極の電圧をＶｓ＿ｈＹ電圧からＶｈｓｃ＿ｌ電圧に徐々に変更するとき，ランプの形で上昇させるものと示したが，他の形の波形を用いて徐々に変更することもできる。また，Ｖｓ＿ｈＹ電圧からＶｈｓｃ＿ｌ電圧に急激に上昇させることもできる。
【００８１】
図９の波形において，Ｖｈｓｃ＿ｈ電圧とＶｈｓｃ＿ｌ電圧の差がＶｌｓｃ＿ｈ電圧とＶｌｓｃ＿ｌ電圧の差と同一であるようにＶｈｓｃ＿ｌ電圧を設定すると，全てのサブフィールドで同一のキャパシタを使用することができる。すなわち，図８においてキャパシタＣｓｃに充填される電圧ΔＶｓｃを，Ｖｈｓｃ＿ｈ電圧とＶｈｓｃ＿ｌ電圧の差に相当する電圧にすると，走査電極駆動回路５２０は，アドレス期間Ｐａ１，Ｐａ２でそれぞれＶｈｓｃ＿ｌ電圧とＶｌｓｃ＿ｌ電圧を供給すればよい。具体的に，サブフィールド１ＳＦのアドレス期間Ｐａ１で選択されない走査電極には選択回路５２０のスイッチＹｓｃｌをターンオンして走査電極駆動回路５１０からのＶｈｓｃ＿ｌ電圧を印加し，選択される走査電極には選択回路５２０のスイッチＹｓｃｈをターンオンして，Ｖｈｓｃ＿ｌ電圧にキャパシタＣｓｃの電圧ΔＶｓｃを加えた電圧Ｖｈｓｃ＿ｈを印加する。そして，サブフィールド２ＳＦ〜８ＳＦのアドレス期間Ｐａ２で選択されない走査電極には，選択回路５０のスイッチＹｓｃｈをターンオンして，走査電極駆動回路５１０からのＶｈｓｃ＿ｌ電圧にキャパシタＣｓｃの電圧ΔＶｓｃを加えた電圧Ｖｈｓｃ＿ｈを印加し，選択される走査電極にはスイッチＹｓｃｌをターンオンしてＶｈｓｃ＿ｌ電圧を印加する。
【００８２】
そして，本発明の実施形態では，消去期間Ｐｅに走査電極Ｙと維持電極Ｘに印加される電圧をリセット期間Ｐｒと同一に説明したが，その電圧を異なるレベルに設定することもできる。本発明の第３実施形態では，消去期間Ｐｅで，走査電極Ｙと維持電極Ａに蓄積された壁電荷をさらに多く消去するために，図１０に示すように，維持電極Ｘの電圧をＶｂ電圧より高いＶｓ＿Ｘｈ電圧にバイアスすることもできる。また，本発明の実施形態では，Ｖｎｆ電圧とＶｓｃｌ電圧を同一に示したが，２つの電圧が異なるように設定することもできる。そして，走査電極Ｙとアドレス電極Ａとの電圧差および走査電極Ｙと維持電極Ｘとの電圧差を第１および第２実施形態と実質的に同一にすることが可能な範囲内で走査電極Ｙ，維持電極Ｘおよびアドレス電極Ａに印加される電圧レベルを変更することもできる。
【００８３】
また，本発明の実施形態では，１フィールド内で消去期間Ｐｅ，アドレス期間Ｐａ１および維持期間Ｐｓ１からなるサブフィールド１ＳＦのようなサブフィールドが一つ入るものと説明したが，これとは異なり，本発明の第４実施形態では，図１１のようにこのようなサブフィールドを２つ以上使用することもでき，全てのサブフィールドをこのように実現することもできる。また，このサブフィールド１ＳＦを１フィールド内の１番目のサブフィールドに位置させず，中間に入れることもできる。
【００８４】
そして，図５，図９，図１０および図１１では，消去期間又はリセット期間で走査電極Ｙの電圧がランプの形で降下するものと示したが，これとは異なり，曲線の形で降下させることもできる。また，図１２ａおよび図１２ｂに示すように，走査電極の一定の電圧だけ降下させた後，走査電極を一定の期間フローティングさせることを繰り返し行って走査電極の電圧を徐々に降下させることもできる。次に，このような形の波形について図１２ａおよび図１２ｂを参照して詳細に説明する。
【００８５】
図１２ａおよび図１２ｂはそれぞれ図５の駆動波形で消去期間又はリセット期間に印加される下降波形の他の実施形態を示す図であって，図１２ａは放電が起こっていない場合を示し，図１２ｂは放電が起こった場合を示す。
【００８６】
図１２ａに示すように，走査電極Ｙに印加される電圧を一定量だけ減少させた後，Ｔｆ期間に走査電極Ｙに供給される電圧を遮断して走査電極Ｙをフローティングさせる。その後，走査電極Ｙの電圧を一定量だけ減少させ，走査電極Ｙを一定の期間フローティングさせる動作を繰り返し行う。
【００８７】
この動作を繰り返し行う途中で，維持電極Ｘの電圧（図５のＶｂ）と走査電極の電圧間の差が放電開始電圧以上になると，維持電極Ｘと走査電極Ｙとの間では放電が起こる。そして，維持電極Ｘと走査電極Ｙとの間で放電が開始された後，走査電極Ｙがフローティング状態になると，外部電源から流入する電荷がないので，走査電極Ｙの電圧が壁電荷の量に応じて変わる。従って，壁電荷の変化量が直ちに放電空間（放電セル）の内部電圧を減少させて少量の壁電荷の変化のみでも放電が消滅する。放電空間内部の電圧が減少する場合には，維持電極がＶｅ電圧に固定されているので，フローティングされている走査電極の電圧が図１２ｂに示すように一定の電圧だけ増加する。
【００８８】
走査電極Ｙの電圧の減少によって放電が起こると，維持電極Ｘおよび走査電極Ｙに形成されていた壁電荷が減少するとともに放電空間内部の電圧が急激に減少し，放電空間内部に激しい放電消滅が発生する。その後，さらに走査電極Ｙの電圧を減少させて放電を形成させた後走査電極Ｙをフローティングさせると，前述と同様に，壁電荷が減少するとともに放電空間内部に激しい放電消滅が発生する，そして，このように走査電極Ｙの電圧を減少させ，走査電極Ｙをフローティングさせる動作が所定の回数だけ繰り返し行われると，維持電極Ｘおよび走査電極Ｙに所望の量の壁電荷が形成される。
【００８９】
そして，図５のランプ波形では，走査電極の電圧を緩やかに降下させて強い放電を防止して壁電荷を制御したので，ランプ波形の傾き制約のためにリセット期間が長くなければならない。ところが，図１２ａおよび図１２ｂに示すようにすると，フローティングによる激しい放電消滅を用いるので，走査電極の電圧を急激に降下させてもよく，これによりリセット期間を短縮させることができる。
【００９０】
また，本発明の実施形態では，アドレス期間において点灯放電セルでアドレス放電が起って点灯放電セルに壁電荷が形成されるものと説明したが，これとは異なり，本発明は消灯放電セルでアドレス放電が起こって消灯放電セルに壁電荷が消去される形にも適用できる。
【００９１】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００９２】
本発明は，プラズマディスプレイ装置に適用可能であり，特に１フィールドが，それぞれ加重値を有する複数のサブフィールドの組み合わせによる加重値の和によって諧調が表現されるプラズマディスプレイ装置に適用可能である。
【図面の簡単な説明】
【００９３】
【図１】プラズマディスプレイパネルの概略的な部分斜視図である。
【図２】プラズマディスプレイパネルの電極配列図である。
【図３】従来の技術に係るプラズマディスプレイパネルの駆動波形図である。
【図４】本発明の実施形態に係るプラズマディスプレイ装置の概略的な概念図である。
【図５】本発明の第１実施形態に係るプラズマディスプレイパネルの駆動波形図である。
【図６ａ】図５のサブフィールド１ＳＦで消去期間直前壁電荷状態を示す図である。
【図６ｂ】図５のサブフィールド１ＳＦで消去期間直後の壁電荷状態を示す図である。
【図７ａ】図５のサブフィールド１ＳＦでアドレス放電によって形成された壁電荷状態を示す図である。
【図７ｂ】図５のサブフィールド１ＳＦで最初維持放電によって形成された壁電荷状態を示す図である。
【図８】本実施形態に係る走査電極に連結された選択回路を示す図である。
【図９】本発明の第２実施形態に係るプラズマディスプレイパネルの駆動波形図である。
【図１０】本発明の第３実施形態に係るプラズマディスプレイパネルの駆動波形図である。
【図１１】本発明の第４実施形態に係るプラズマディスプレイパネルの駆動波形図である。
【図１２ａ】図５の駆動波形で消去期間又はリセット期間に走査電極に印加される電圧の下降波形で放電が起こっていない場合を示す図である。
【図１２ｂ】図５の駆動波形で消去期間又はリセット期間に走査電極に印加される電圧の下降波形で放電が起こっている場合を示す図である。
【符号の説明】
【００９４】
１００    プラズマディスプレイパネル
２００    制御部
３００    アドレス電極駆動部
４００    維持電極駆動部
５００    走査電極駆動部
５１０    走査電極駆動回路
５２０    選択回路
【図１】
2005266743.tif 000003
【図２】
2005266743.tif 000004
【図３】
2005266743.tif 000005
【図４】
2005266743.tif 000006
【図５】
2005266743.tif 000007
【図６ａ】
2005266743.tif 000008
【図６ｂ】
2005266743.tif 000009
【図７ａ】
2005266743.tif 000010
【図７ｂ】
2005266743.tif 000011
【図８】
2005266743.tif 000012
【図９】
2005266743.tif 000013
【図１０】
2005266743.tif 000014
【図１１】
2005266743.tif 000015
【図１２ａ】
2005266743.tif 000016
【図１２ｂ】
2005266743.tif 000017